(57)【特許請求の範囲】
【請求項１】
レンズ鏡筒に組み付けられて、レンズ鏡筒の外側に配置された操作部により、光軸と直交するようレンズ鏡筒内に配置された複数枚の絞り羽根を作動調整する手動絞り装置において、
前記レンズ鏡筒内に径方向から差し込まれる開口付きの挿入部分及びレンズ鏡筒外に配置される取付部付きの延長部分を一体に形成している保持枠と、
前記保持枠内に摺動自在に配置される前記絞り羽根としての２枚の絞り羽根と、
前記延長部分に貫通された軸孔及び軸孔に対応し外面側に設けられた支持部と、
前記軸孔を通じて前記延長部分内に一端側を突出し、他端側を前記支持部を介し枢支される回動軸と、
前記支持部側に配置されている前記回動軸の軸周りに突設された前記操作部としての操作レバーと、
前記延長部分内に配置されると共に、前記回動軸の一端側に連結されて前記各絞り羽根を異方向に摺動する回動片とを備え、
前記保持枠、前記絞り羽根、前記回動軸、前記操作レバー、前記回動片が手動絞り装置として組み立てられた状態で、前記レンズ鏡筒に対しそのレンズ鏡筒の外周に設けられた切欠部から前記保持枠の挿入部分をレンズ鏡筒内に差し込み、前記延長部分の取付部を介して固定されると共に、前記絞り羽根が前記操作レバーの回動により前記回動軸及び回動片を介して作動調整されることを特徴とする手動絞り装置。
【請求項２】
前記支持部は、前記延長部分の外面から前記回動軸の両側に設けられた腕部と、前記両腕部に連結されて前記回動軸の他端側を枢止している止め部からなる請求項１に記載の手動絞り装置。
【請求項３】
レンズ群を内蔵しているレンズ鏡筒が上記請求項１の手動絞り装置を有していることを特徴とするＣＣＴＶカメラ用撮像レンズ。
【発明の詳細な説明】
【０００１】
【発明の属する技術分野】
本発明は、撮像レンズに組み付けられる手動絞り装置及びそれを用いたＣＣＴＶカメラ用撮像レンズに関するものである。
【０００２】
【従来の技術】
手動絞り装置は、光軸と直交するようレンズ鏡筒内に組み込まれて、外周に設けられた操作リング等を回動操作することにより、開放絞り値を調整（以下、絞り調整と略称する）するものである。構造的には、例えば、複数の絞り羽根を独立に枢支する開口付きの保持枠と、保持枠内で回動されることにより各絞り羽根を連動して作動する菊座と、菊座の一部と連結されると共にレンズ鏡筒の外周に回動可能に組み込まれた調整リング等からなり、絞り羽根が調整リングの回動により菊座を介して作動調整される。ところで、この手動絞り装置は、自動絞り装置に対し構造が簡易であり、例えば、安価な撮像レンズや一旦調整された絞り調整を余り変更する必要がない撮像レンズに多用されている。後者の代表例としては、監視用ビデオカメラ等に用いられる場合であり、ＣＣＴＶカメラ用撮像レンズを適位置に設置する際に、フオーカス調整と共に絞り調整を行って、使用状況に最適となるよう調整される。
【０００３】
【発明が解しようとする課題】
しかしながら、従来の手動絞り装置にあっては、レンズ鏡筒に対し複数のレンズ群と共に組み込まなくてはならないため煩雑となり、組立工数増の一因となるばかりでなく、例えば、組み付け後に交換したい場合にレンズ群や各機構部も取り外さなくてはならないため簡単に行うことができなかった。
【０００４】
本発明は以上のような背景に鑑み開発されたものである。その目的は、従来のものに対して、レンズ鏡筒に後付け方式で組み付けることができると共に、構造的により簡易にした手動絞り装置及びそれを用いたＣＣＴＶカメラ用撮像レンズを実現することにある。他の目的は以下の内容説明の中で明らかにする。
【０００５】
【課題を解決するための手段】
上記目的を達成するため本発明は、図面に例示される如く、レンズ鏡筒に組み付けられて、レンズ鏡筒の外側に配置された操作部により、光軸と直交するようレンズ鏡筒内に配置された複数枚の絞り羽根を作動調整する手動絞り装置において、前記レンズ鏡筒内に径方向から差し込まれる開口付きの挿入部分及びレンズ鏡筒外に配置される取付部付きの延長部分を一体に形成している保持枠と、前記保持枠内に摺動自在に配置される前記絞り羽根としての２枚の絞り羽根と、前記延長部分に貫通された軸孔及び軸孔に対応し外面側に設けられた支持部と、前記軸孔を通じて前記延長部分内に一端側を突出し、他端側を前記支持部を介し枢支される回動軸と、前記支持部側に配置されている前記回動軸の軸周りに突設された前記操作部としての操作レバーと、前記延長部分内に配置されると共に、前記回動軸の一端側に連結されて前記各絞り羽根を異方向に摺動する回動片とを備え、前記保持枠、前記絞り羽根、前記回動軸、前記操作レバー、前記回動片が手動絞り装置として組み立てられた状態で、前記レンズ鏡筒に対しそのレンズ鏡筒の外周に設けられた切欠部から前記保持枠の挿入部分をレンズ鏡筒内に差し差し込み、前記延長部分の取付部を介して固定されると共に、前記絞り羽根が前記操作レバーの回動により前記回動軸及び回動片を介して作動調整されるようにしたものである。
【０００６】
以上の構造によれば、手動絞り装置は保持枠、絞り羽根、回動軸と回動片、操作レバーによりユニット化されており、レンズ鏡筒に対し後付け方式にて組み付けることが可能となる。また、これを用いる場合には、撮像レンズ（例えば、ＣＣＴＶカメラ用撮影レンズ）のレンズ鏡筒に保持枠の挿入部分に対応した切欠部が設けられる。そして、手動絞り装置は、ユニット化された状態で、保持枠の挿入部分を前記切欠部からレンズ鏡筒内に差し込んだ後、取付部をネジ等を介してレンズ鏡筒側に固定すると、延長部分がレンズ鏡筒の外径方向に突出配置される。延長部分の片側には、回動軸及び操作レバーが配置されており、その操作レバーを回動操作することにより絞り調整される。
【０００７】
したがって、本発明品では、手動絞り装置がレンズ鏡筒側と完全に分離した状態にてユニット化できることから次のような利点を有している。
第１に、従来品の如くレンズ鏡筒にレンズ群と同時に絞り装置用の各部材を組み込む必要がなく、レンズ鏡筒側の組立作業を簡素化できる。同時、従来品の如くレンズ鏡筒の外周に一体的に組み付けられる絞り用の調整リング等も不要となり、レンズ鏡筒自体の設計自由度が得られる。
第２に、レンズ鏡筒に対し後付け方式により取り付け取り外すことが可能になることから、例えば、最終組立後の品質検査等により手動絞り装置を交換したい場合に迅速に対処できる。
第３に、構造的には、比較的少ない部品数で構成されており、回動軸と操作レバー、又は回動軸と回動片とを一体に形成するというように変形も容易であるため、機構的に簡易に実現される。また、レンズ鏡筒側の仕様に左右されないため異なる撮像レンズにも共通品として採用し易くなり、その結果、量産によるコトス低減も期待できる。
【０００８】
【発明の実施の形態】
次に、本発明の実施形態を図１から図１０により説明する。なお、この形態例は、本発明の好適な具体例であり、本発明の範囲を制約するものではない。
【０００９】
図１は本発明を適用した手動絞り装置の絞り作動例を示し、図１（ａ）は絞り羽根の閉じ状態を、図１（ｂ）は絞り羽根の全開状態をそれぞれ操作レバー側から見た模式背面図である。図２は前記手動絞り装置を用いた撮像レンズ例を示し、図３はその撮像レンズの前・後保持筒と手動絞り装置との関係を示している。図４（ａ），（ｂ）は前記手動絞り装置を正面と背面から見た図、図５から図１０は前記手動絞り装置の構成部品をそれぞれ示している。このうち、図５は絞り羽根を配置する前の状態で上から見た図、図６と図７は同じくその正面と背面図、図８は図６の中間上下方向の断面図、図９は絞り羽根を単品で示し、図１０は保持枠の正面側に取り付けられる板金である。これら図において、形態例の手動絞り装置１は、図２のＣＣＴＶカメラ用撮像レンズ２０用として開発されたものであり、以下、この撮像レンズ２０を概説した後、絞り構造について詳述する。
【００１０】
図２の撮像レンズ２０は、高感度ＣＣＴＶカメラ用として構成されもので、レンズ鏡筒２１が前保持筒２２及び後保持筒２３を主体とし、後保持筒２３の後部に設けられたスクリューマウント部２４によりカメラ本体側に装着される。前保持筒２２と後保持筒２３は、レンズ群Ｌ1とレンズ群Ｌ2を対応する前枠２５と後枠２６を介して保持していると共に、図３に示される如く対応する側がはめ合い構造にて一体に結合される。すなわち、前保持筒２２の後端側には、径大のフランジ部２７が設けられると共に、そのフランジ部２７の端面に略リング状の保持部２８が設けられている。この保持部２８は、上側部分が欠如されており、その切欠部２８ａから後述する手動絞り装置１の対応部を差し込み可能にしていると共に、切欠部２８ａと対向する内周中間位置である下部に設けられた位置決め用凹所２８ｂを有している。一方、後保持筒２３の前端側には、保持部２８の外側に嵌合される径大の連結部２９が設けられている。この連結部２９は、切欠部２８ａと対応する上側部分が欠如されて、保持部２８と嵌合した状態でその保持部２８を覆うと共に、フランジ部２７の端面のうち切欠部２８ａと対応する部分を露出している。図３の符合３０，３１はネジである。前保持筒２２と後保持筒２３は、複数のネジ３０が連結部２９の取付孔２９ａから保持部２８の取付孔２８ｃに螺入されることにより結合されて、一体のレンズ鏡筒２１に形成される。手動絞り装置１は、保持部２８及び連結部３０の内側に切欠部２８ａから挿入されると共に、凹所２８ｂにより位置決めされて、ネジ３１が後述する保持枠２の取付部１２に設けられた取付孔１２ａからフランジ部２７の取付孔２７ａに螺入されることにより固定される。
【００１１】
なお、前保持筒２２にはレンズ群Ｌ1を保持している前枠２５が移動調整可能に組み付けられ、後保持筒２３にはレンズ群Ｌ2を保持している後枠２６が移動調整可能に組み付けられている。前枠２５と後枠２６の移動調整は、図２の上側と下側に示す範囲であり、前保持筒２２と後保持筒２３の外周にそれぞれ組み付けられた調整リング３２，３３により操作される。これら移動調整機構は、各前・後保持筒２２，２３に設けられた複数のカム溝２２ａ，２３ａと、前・後枠２５，２６に突設されたピン３４，３５と、調整リング３２，３３の内周前後方向に設けられた溝３２ａ，３３ａ等からなる。各ピン３４，３５は、カム溝２２ａ，２３ａを通って対応する溝３２ａ，３３ａと嵌合している。そして、前・後枠２５，２６は、調整リング３２，３３を回動操作することにより、ピン３４，３５と共にカム溝２２ａ，２３ａに沿って移動される。この構造自体は、前・後枠２５，２６に対するレンズ群Ｌ1，Ｌ2の保持構成と同じく、公知のものである。
【００１２】
これに対し、本発明の要部である手動絞り装置１は、細長い保持枠２を主体とし、板金３と、２枚の絞り羽根４Ａ，４Ｂと、腕部７及び止め部８からなる支持部６と、回動片５並びに回動軸９及び操作レバー１０とを備えている。なお、図面上は拡大されているが、メイン部の厚さが２〜５ｍｍ、長さが２５〜４０ｍｍと小さなものである。
【００１３】
このうち、保持枠２は樹脂成形体である。形状的には、図５から図８に示す如く下側が上記した切欠部２８ａからレンズ鏡筒２１内に差し込まれる挿入部分２Ａで、上側がレンズ鏡筒２１の外周に突出される延長部分２Ｂに設定されており、上記フランジ部２７の取付孔２７ａに対応する片側面に設けられた取付孔１２ａ付きの取付部１２と、上記位置決め用凹所２８ｂに対応して挿入部分２Ａの真下に突設された突部１３とを有している。同様に、挿入部分２Ａと延長部分２Ｂの内側（正面側）には、図６に想像線で示した如く絞り羽根４Ａ，４Ｂに対応した４本のガイドピン１４と、板金３を止める突片１５ａ，１５ｂと、両側に突出された幅方向の位置決め突起１５ｃ（図８参照）等をそれぞれ一体に有している。挿入部分２Ａには、下両側のガイドピン１４の間に位置して下向きの開口１６が長孔形状に設けられている。延長部分２Ｂには、上側の略中心に軸孔１７が貫通形成されている。この外側（背面側）には、軸孔１７を中心としてリング状の突起１８が設けられ、その突起１８の両側に支持部６を構成している腕部７が一体的に突設されている。両腕部７は、図５の如く先端が径小軸部に形成され、その径小軸部の外側に爪部７ａを有し、止め部８が腕部先端にその径小軸部及び爪部７ａを介し取り付けられる。すなわち、止め部８は、円形キャップ状をなし、中心に設けられた軸孔８ａと、前記径小軸部に対応する小孔及び爪部７ａに対応する係止孔とを有している。そして、両腕部７の先端に対し、回動軸９の対応する他端９ｃを軸孔８ａに枢支した状態から、前記径小軸部と小孔、爪部７ａと前記係止孔との各係合により固定される。
【００１４】
回動軸９は、図８に示す如くその軸線上に、軸孔１７に挿通されて延長部分２Ｂの内側（正面側）に突出される一端側の径小軸部９ａと、突起１８内から外側へ突出された径大軸部９ｂと、前記径小軸部を先端に形成している他端側の軸部９ｃとを有している。そして、一端側が軸孔１７と嵌合される径小軸部９ａにより枢支され、その状態から、他端側が上記した止め部８の軸孔８ａと嵌合される軸部９ｃ先端の径小軸部により枢支される。また、回動軸９は、径大軸部９ｂに連結された操作レバー１０を有している。この操作レバー１０は、径大軸部９ｂの軸周りにあって径方向に突設された突出壁１０ａと、突出壁１０ａの上端面に一体化された操作部１０ｂとからなっている。突出壁１０ａは、図７に示す如く扇状をなし、操作部１０ｂを介して回動されたときに両腕部７の対応部に当たってその回動範囲を規制する。操作部１０ｂは円弧状をなし、図面上省略しているが、一段高くなった外周にはローレット状の複数の凹部が形成されている。
【００１５】
回動片５は、図６及び図８に示す如く延長部分２Ｂの内側（正面側）の一段低くなった箇所に配置される細長い片状になっており、両端側に突設されて絞り羽根４Ａ，４Ｂの対応部と嵌合するピン５ａと、中間に突出されて軸孔を形成しているボス部５ｂとを有している。そして、ボス部５ｂの軸孔に対し軸孔１７を通った径小軸部９ａが圧入により連結される。すると、回動片５は回動軸９と連動して回動されるが、この回動範囲は回動片５の両側部分が前記した延長部分２Ｂの一段低くなった対向面に当たるため約４５度に規制される。
【００１６】
絞り羽根４Ａ，４Ｂは、図９に示す如く互いに重ねられる下半体部分に異形状に形成された開口４ａ又は開口４ｂと、両側のうち、長片に沿って設けられた２本の縦スリット４ｄ及び短片に沿って設けられた１本の縦スリット４ｅと、上側に沿って設けられた１本の横スリット４ｃとを有している。絞り羽根４Ａの開口４ａは円弧の下側が欠如され、絞り羽根４Ｂの開口４ｂは略円状をなしている。開口４ａには円弧の部分にフイルター４ｆが添着され、開口４ｂには円弧の下側にフイルター４ｇが添着されている。そして、両絞り羽根４Ａ，４Ｂは、保持枠２内にあって両側のガイドピン１４に対応する縦スリット４ｄ及び縦スリット４ｅを嵌合することにより、下半体部分が上下に重ねられた状態で上下方向に摺動自在に配置される（図６参照）。同時に、両絞り羽根４Ａ，４Ｂは、上記した回動片５の両側のピン５ａに対応する横スリット４ｃを嵌合することにより、回動片５の回動と連動して互いに異方向、つまり一方が下方へ摺動されると、他方が上方へ摺動されるというように作動される。
【００１７】
板金３は、保持枠２の内側（正面側）を閉じるリッドであり、図１０に示す如く中央部分に設けられた大きな開口３ａと、開口３ａの上側にあって中心に設けられた開口３ｂと、開口３ｂの両側に設けられた開口３ｃ等を有している。開口３ａは保持枠２の開口１６に一部が重なり、開口３ｂは保持枠２内に配置される回動片５の中心部に対応し、開口３ｃはその回動軸５の両端のピン５ａに対応している。そして、この板金３は、保持枠２に回動片５及び絞り羽根４Ａ，４Ｂを上記した要領にて組み込んだ後、保持枠２の突片１５ａ，１５ｂ等を介し取り付けられることになる。図４（ａ），（ｂ）はこのようにして組み付けが完了された手動絞り装置１を表裏から見た図である。なお、図４（ａ），（ｂ）及び図１（ｂ）の符号０は、撮像レンズ２０の光軸中心であり、保持枠２の開口１６内の上側に位置している。
【００１８】
以上の手動絞り装置１では、段落００１０に記載したように撮像レンズ２０に組み付けられて、操作レバー１０の操作部１０ｂを介して絞り羽根４Ａ，４Ｂによる開放絞り値が調整される。図１（ａ），（ｂ）はその調整要領を示している。図１（ａ）は操作部１０ａを矢印Ｘ1の方向へ回動したときである。この状態では、絞り羽根４Ａ，４Ｂが回動軸９、回動片５を介して異方向に摺動されており、前記光軸中心０を完全に閉じている。図１（ｂ）は操作部１０ａを図１（ａ）と逆の矢印Ｘ2の方向へ回動したときである。この状態では、絞り羽根４Ａ，４Ｂが回動軸９、回動片５を介して図１（ａ）と反対の方向に摺動されており、前記光軸中心０を全開している。このような、絞り調整操作において、操作レバー１０の回動範囲は上記した突出壁１０ａが対応する腕部７に当り、また、上記した回動片５の回動範囲と一致している。
【００１９】
なお、上記した形態例において、支持部６としては、延長部分２Ｂに一体に突出形成された腕部７と、該腕部７に取り付けられる止め部８とから構成したが、例えば、略コ形の部材を用い、コ形の中間片に軸孔８ａを、コ形の両片に取付部を設け、その取付部を介して延長部分２Ｂの対応部に取り付けるようにしてもよい。また、操作レバー１０は、回動軸９に一体に形成したが、別体品を取り付けるようにしてもよい。同様に、回動片５も回動軸９に一体に形成し、回動軸９の他端側の形状を工夫することも可能である。このように、本発明は、請求項１又は３で特定される技術要素を備えておればよく、細部についてはこの形態例をベースにして種々変形できるものである。
【００２０】
【発明の効果】
以上説明したとおり、本発明に係る手動絞り装置によれば、従来構造に対し、レンズ鏡筒にレンズ群と同時に絞り装置用の各部材を組み込む必要がなくなるためレンズ鏡筒側の組立作業を簡素化でき、同時、レンズ鏡筒の外周に一体的に組み付けられる絞り用の調整リング等も不要となるためレンズ鏡筒自体の設計自由度を拡大できる。したがって、この手動絞り装置を用いたＣＣＴＶカメラ用撮像レンズは、手動絞り装置を従来と全く異なる後付け方式で組み付けるため撮像レンズの構成部材を簡素し易くなり、組立工程も改善できることから、全体的なコスト低減が期待できる。
【図面の簡単な説明】
【図１】本発明を適用した手動絞り装置の絞り作動例を示す図である。
【図２】上記手動絞り装置を用いた撮像レンズの構造例を示す図である。
【図３】上記撮像レンズの一部と手動絞り装置との関係を示す模式図である。
【図４】上記手動絞り装置を正面と背面から見た図である。
【図５】上記手動絞り装置の保持枠を上から見た図である。
【図６】上記手動絞り装置の保持枠を示す正面図である。
【図７】上記手動絞り装置の保持枠を示す背面図である。
【図８】図６の保持枠を中間上下方向に断面した図である。
【図９】上記手動絞り装置の絞り羽根を示す図である。
【図１０】上記手動絞り装置の板金を示す図である。
【符号の説明】
１は手動絞り装置
２は保持枠
２Ａは挿入部分
２Ｂは延長部分
４Ａ，４Ｂは絞り羽根
５は回動片
６は支持部
７は腕部
８は止め部
９は回動軸
１０は操作レバー
１０ａは突出壁
１０ｂは操作部
１２は取付部
１６は開口
１７は軸孔
２０は撮像レンズ
２１はレンズ鏡筒
２８ａは切欠部
Ｌ1，Ｌ2はレンズ群
【図１】
0004218745.tif 000002
【図２】
0004218745.tif 000003
【図３】
0004218745.tif 000004
【図４】
0004218745.tif 000005
【図５】
0004218745.tif 000006
【図６】
0004218745.tif 000007
【図７】
0004218745.tif 000008
【図８】
0004218745.tif 000009
【図９】
0004218745.tif 000010
【図１０】
0004218745.tif 000011